(57)【特許請求の範囲】
【請求項１】
前面枠体の前面にガラス板保持枠と上球受皿を有する前面板及び下球受皿を有する前面下部板を備え、前記前面下部板を前面枠体に軸支して開閉自在に取り付けると共に、前記前面下部板の開放側に設けられた係止機構を前記前面枠体の係止部に係脱自在に係止し得るようにしたパチンコ遊技機において、
前記前面下部板の開放側に固定部材を設け、該固定部材はねじ挿通孔と前記前面下部板を閉じた状態でその先端が前記前面枠体の前面に当接する取付ボスとが形成されており、
前記固定部材のねじ挿通孔から前記下球受皿にねじを螺着して該固定部材を前記前面下部板に装着すると共に、前記前面枠体から前記固定部材の取付ボスにねじを螺着して前記前面下部板を該前面枠体に固着するようにしたことを特徴とするパチンコ遊技機。
【請求項２】
前記固定部材は、立体形に形成され、下球受皿から後方へ突出する突起を嵌合する筒状凹部と、前面下部板を閉じた状態でその先端が前面枠体の前面に当接する取付ボスとが形成されていることを特徴とする請求項１記載のパチンコ遊技機。
【発明の詳細な説明】
【０００１】
【発明の属する技術分野】
本発明は、前面枠体の前面にガラス板保持枠と上球受皿を有する前面板及び下球受皿を有する前面下部板を開閉自在に備えてなるパチンコ遊技機に関するものである。
【０００２】
【従来の技術】
従来のパチンコ遊技機は、周知のように外枠の一側にヒンジ機構を介して前面枠体が開閉自在に装着され、該前面枠体の前面一側にガラス板保持枠と上球受皿を備えた前面板が開閉自在に軸支されていた。また、前面枠体の前面下部には下球受皿を備えた前面下部板が固定的に設けられていた。一方、最近では遊技盤の前面下方部に設けられる打球発射機構の組付けやメンテナンスを容易にするため、下球受皿を備えた前面下部板を前面枠体の前面に開閉可能に設けるようにしたパチンコ遊技機が提案されている。
【０００３】
【発明が解決しようとする課題】
ところで、最近のパチンコ遊技機においては、遊技盤の誘導レールで囲まれる遊技領域に始動入賞口、可変表示装置、大入賞口等を配設し、始動入賞口へ遊技球が入賞すると可変表示装置の数字や図柄を変動させると共に、その停止時の表示が所定の組み合わせに揃うと大当りとなって大入賞口を所定時間又は所定個数の遊技球が入賞するまで開成する動作を所定サイクル行わせるようにして一時に多数の賞球が獲得できるように構成されている。このため、大当り発生時において、下球受皿には上球受皿からの余剰球が多量に貯留されて前面下部板にかなりの荷重が掛けられることになり、長期間にわたって使用されると前面下部板の軸支部分が歪んで開閉動作がスムーズにできなくなったり、前面枠体と前面下部板との間に隙間が生じたりして不正が行われ易いという問題点があった。
【０００４】
本発明は上記した問題点に鑑みてなされたもので、その目的とするところは、前面下部板の強度的弱点を解消すると共に、前面板に比べて開放頻度の少ない前面下部板を必要に応じて容易に開放することができるようなパチンコ遊技機を提供することにある。
【０００５】
【課題を解決するための手段】
上記した目的を達成するために、請求項１記載の発明は、前面枠体の前面にガラス板保持枠と上球受皿を有する前面板及び下球受皿を有する前面下部板を備えてなるパチンコ遊技機において、前記前面下部板を前面枠体に開閉自在に取り付けると共に、前面下部板の開放側に係止機構と固定部材を設け、前記係止機構を前面枠体の係止部に係脱自在に係止すると共に、前面枠体と固定部材とをねじ止めするようにしたことを特徴とする。
【０００６】
このように構成されたパチンコ遊技機は、前面下部板の開放側が係止機構と固定部材によるねじ止めによって前面枠体に固着されているため、前面下部板の強度低下が抑えられると共に、前面下部板を開放する必要が生じたときには固定部材と前面枠体とのねじ止めを外した後、係止機構と係止部との係止を外すことによって容易に開放することが可能となる。
【０００７】
【発明の実施の形態】
次に、図面を参照して本発明の一実施の形態を説明する。図１はパチンコ遊技機の正面図、図２はパチンコ遊技機の裏面図、図３はガラス板保持枠と上球受皿を有する前面板及び下球受皿を有する前面下部板を開いた状態の斜視図、図４は前面枠体の分解斜視図である。図１において、パチンコ遊技機１は、縦長な方形状に枠組み形成される外枠２と、該外枠２の一側に上下のヒンジ機構３によって開閉自在に装着される前面枠体４とを備え、該前面枠体４の前面一側にガラス板保持枠５と、上球受皿６を有する前面板７及び下球受皿８を有する前面下部板９とがそれぞれ開閉自在に設けられている。
【０００８】
前記前面枠体４は、図３及び図４に示すように鉄板等の金属板によって形成されるもので、上部にほぼ正方形状の開口部１０が形成された板状の主枠部１１と、遊技盤取付枠１２を構成する金属製の左右縦枠１２ａ，１２ｂ及び下部枠１２ｃとを備えて構成されている。前記主枠部１１の外周縁には、外枠２の前縁に当接する段部１３が形成され、さらに段部１３から手前方向に向けて直角に折曲する上下及び左右の側辺部１４ａ〜１４ｄが周設されている。また、前記左右縦枠１２ａ，１２ｂ及び下部枠１２ｃは、主枠部１１の裏面側であり、開口部１０の左右両側位置及び下側位置にそれぞれカシメ着されて該主枠部１１と一体化されるもので、その遊技盤取付枠１２であり、かつ主枠部１１の開口部１０を覆うように遊技盤１５が着脱可能に取り付けられるようになっている。この遊技盤１５の前面には円形状の誘導レール１６が複数のレール取付ピンで取り付けられており、該誘導レール１６で囲まれる領域が遊技領域として構成されている。
【０００９】
前記開口部１０の下方に位置する主枠部１１には円形状取付孔１７及び方形状取付孔１８が貫通形成されており、円形状取付孔１７に打球発射機構１９が取り付けられ、方形状取付孔１８には通路部材２０が取り外し自在に装着されている。また、主枠部１１の前面には図３及び図４に示すように遊技盤１５の遊技領域外を覆うようにレール飾り部材２１とレール変形防止部材２２が設けられており、さらに遊技盤１５の前面であり、遊技領域の外側位置には合成樹脂により形成された盤面部品としての証紙貼付部材２３が設けられている。２４は前面枠体４及びガラス板保持枠５の施錠機構であり、遊技盤取付枠１２を構成する右縦枠材１２ａの側部に組み付けられるようになっている。
【００１０】
一方、図２に示すように前記前面枠体４の裏面には、合成樹脂製の機構板２５がヒンジ２６ａ〜２６ｄを介して着脱及び開閉自在に設けられている。この機構板２５は、遊技盤１５の裏面の上部と側部及び下部に相対するように上下に二分割されたコ字形に形成されており、その裏面上部に球タンク２７と、該球タンク２７に貯留された球を下流側に整列しながら誘導する球誘導樋２８が設けられ、さらに球誘導樋２８の下流側であって、機構板２５の側部には屈曲誘導樋２９を介して賞球払出装置３０が着脱可能に設けられている。また、賞球払出装置３０の下方には、払い出された賞球を上球受皿６に導く賞球排出通路３１、該上球受皿６の余剰球を下球受皿８に排出する余剰球通路３２、アウト球通路３３、球抜通路３４等が設けられている。また、遊技盤１５の裏面略中央には入賞球を機構板２５の下部に形成された樋状の入賞球集合部３５に導くための入賞球集合カバー３６が取り付けられており、該入賞球集合カバー３６の裏面にはパチンコ遊技機の遊技状態を制御するための遊技制御基板を収納した基板ボックス３７及び各種の電気部品から引き出される配線コードが接続される基板３８が着脱可能に装着されている。なお、３６ａは入賞球集合カバー３６に形成された箱状膨出部，３６ｂは箱状膨出部３６ａの上面に開設された開口を覆うカバー部材である。
【００１１】
前記外枠２と前面枠体４のヒンジ機構３は、図５ないし図７に示すように上部ヒンジ機構３ａと下部ヒンジ機構３ｂとから構成されている。上部ヒンジ機構３ａは図５に示すように外枠２の外側の上部隅部にビス３９で取り付けられる上部固定金具４０と前面枠体４の一側上部にカシメ着される上部可動金具４１とからなる。上部固定金具４０は、外枠２の上面に添わせる水平板部４０ａと外枠２の外側面に添わせる垂直板部４０ｂとにより逆Ｌ字形に形成されており、水平板部４０ａには外枠２の上面端部から前方に突出し、かつ外側に向かって開口する切欠き溝４２と該切欠き溝４２と連通状に軸受孔４３を穿設した突出片４４が一体に設けられている。なお、前記切欠き溝４２の両側に位置する突出片４４の上面は手前下から後方上へ向かう上向き傾斜面４４ａとして形成されている。
【００１２】
前記上部可動金具４１は、前面枠体４の裏面に添わせる取付片４１ａと前面枠体４の前方に突出する水平板部４１ｂとを有し、その水平板部４１ｂの先端下面に上ヒンジ軸４５が下向きに突設されている。前記上ヒンジ軸４５は、上部固定金具４０の軸受孔４３に嵌合する円形軸部４５ａと前面枠体４をほぼ直角状に開放した状態で切欠き溝４２に挿入できる幅に形成した扁平軸部４５ｂを有し、その円形軸部４５ａと扁平軸部４５ｂとの境界面が後方上から手前下へ向かう下向き傾斜面４５ｃとして形成されている。なお、前記上ヒンジ軸４５であり、その扁平軸部４５ｂには、前面枠体４の上動範囲を規制する突起状の規制突部４６が一体に設けられている。
【００１３】
前記下部ヒンジ機構３ｂは、図６に示すように外枠２の内側の下部隅部にビス４７で取り付けられる下部固定金具４８と、前面枠体４の一側下部にカシメ着される下部可動金具４９とから構成されている。下部固定金具４８は、外枠２の下部内側に添わせる垂直な取付片部４８ａと外枠２の前方に突出する水平板部４８ｂとを有し、その水平板部４８ｂの上面に凸状部５０が一体に形成されている。この凸状部５０は、下部可動金具４９との接触面を少なくして前面枠体４の開閉を円滑に行い得るようにするためのもので略円形状に膨出形成され、その中心に貫通孔５１が設けられている。そして、貫通孔５１の下方から下ヒンジ軸５２が上向きに貫通されてカシメ或いは溶接等により一体に固着されている。また、前記下部可動金具４９は、前面枠体４の裏面側に添わせる垂直な取付片部４９ａと前面枠体４の前方に突出する水平板部４９ｂとを有し、その水平板部４９ｂに前記下ヒンジ軸５２に嵌合する軸受孔５３が穿設されている。
【００１４】
このように構成されたヒンジ機構３において、外枠２に前面枠体４を軸支するには、先ず下部可動金具４９の軸受孔５３を下部固定金具４８の下ヒンジ軸５２に上方から嵌合させ、次に前面枠体４をほぼ直角状に開放した状態に位置させて上ヒンジ軸４５の扁平軸部４５ｂを上部固定金具４０の切欠き溝４２に臨ませて前面枠体４を外枠２に押し付ける。これによって、図７鎖線で示すように上部固定金具４０の上向き傾斜面４４ａと上部可動金具４１の上ヒンジ軸４５に形成された下向き傾斜面４５ｃとによって前面枠体４が徐々に上方へ押し上げられ、さらに前面枠体４を押し込むことにより図７実線で示すように上ヒンジ軸４５の円形軸部４５ａが上部固定金具４０の軸受孔４３に嵌合されるもので、このように外枠２に対して前面枠体４がワンタッチで開閉自在に軸支されるようになっている。
【００１５】
一方、前記前面枠体４の前面であり、かつその軸支側の上端には図３及び図４に示すようにガラス板保持枠５の一側上端が軸支される下向きのヒンジ軸５４を突設した支持体５５が固着されている。また、前面枠体４の軸支側であり、その中程よりやや下方位置に前面板7と前面下部板９とを軸支するためのヒンジ金具５６がカシメ着されている。このヒンジ金具５６は、上端にガラス板保持枠５と前面板７との間に介在してガラス板保持枠５の軸支側下面を受ける水平な上部支持片５６ａが形成され、上下略中間位置に前面板７と前面下部板９との間に介在して前面板７の軸支側下面を受ける水平な下部支持片５６ｂが形成され、さらにその下端には前面下部板９の軸支側下面を受ける水平受止片５６ｃがそれぞれ形成されており、これら上下部支持片５６ａ，５６ｂ及び水平受止片５６ｃにそれぞれ設けられた軸通孔５７ａ，５７ｂ，５７ｃにヒンジ軸杆５８を貫通させている。このヒンジ軸杆５８は、ハンマーなどで強く打ち込むことにより外周面に形成されたロレット加工５９部分を上部支持片５６ａの軸通孔５７ａに圧接させて抜脱しないように固着されており、その上端が上部支持片５６ａから上方へ僅かに突出するようにその長さが選ばれている。
【００１６】
前記ガラス板保持枠５は図１及び図３に示すように中央部に遊技盤１５の遊技領域が視認可能な方形状の開口が形成される合成樹脂製の本体枠５ａと、該本体枠５ａの裏面側に装着される補強金属板５ｂとによって前面枠体４の上半部分を全幅にわたって覆う大きさに形成されている。前記補強金属板５ｂには、本体枠５ａの開口の上辺部を除く左右側辺部及び下側辺部を囲うようにコ字形に形成された溝枠部材５ｃが一体的に設けられており、該溝枠部材５ｃに遊技盤１５を透視し得る内、外２枚のガラス板６０が上方より挿入嵌合されて保持されるようになっている。また、前記ガラス板保持枠５の軸支側には、その上端にヒンジ部材６１が設けられており、下端に前記ヒンジ軸杆５８に嵌合する軸孔６２が穿設されている。前記ヒンジ部材６１は図８及び図９に示すように本体枠５ａと補強金属板５ｂとの間の中空部に設けられ、補強金属板５ｂにビス止めされる支持部６３と、該支持部６３に横方向へスライド自在に装着され、その先端に傾斜面６４が設けられた滑動子６５と、該滑動子６５を付勢するばね６６とからなり、前記支持部６３にヒンジ軸杆５８が保持されるＵ字形溝６７が設けられている。なお、前記溝枠部材５ｃの左右両外側方であって、補強金属板５ｂの裏面側に不正防止用リブ６８ａ，６８ｂが形成されている。
【００１７】
上記のように構成されたガラス板保持枠５を前面枠体４に取り付けるには、先ずガラス板保持枠５の下端軸孔６２をヒンジ金具５６の上部の支持片５６ａから上方に突出されているヒンジ軸杆５８に上方から嵌合させて連結し、次にガラス板保持枠５のヒンジ部材６１を前面枠体４の支持体５５に突設されたヒンジ軸５４に接近させ、ヒンジ部材６１の滑動子６５の傾斜面６４にヒンジ軸５４を接触させた状態でガラス板保持枠５を前面枠体４に押し付ける。これによって、滑動子６５の傾斜面６４に接触するヒンジ軸５４によって該滑動子６５がばね６６の付勢に抗して後退し、さらにガラス板保持枠５を押し付けることによりヒンジ軸５４が傾斜面６４の先端から外れて図９に示すように支持部６３のＵ字形溝６７に嵌り込み、同時に滑動子６５がばね６６の付勢で元の位置に復帰してヒンジ軸５４を外れないように保持するもので、ガラス板保持枠５は、ヒンジ軸杆５８の突出部とヒンジ軸５４に支持されて前面枠体４に開閉自在に装着される。そして、ガラス板保持枠５が閉じられた状態のとき、施錠機構２４の係止部６９，６９とガラス板保持枠５のＬ形係止金具７０，７０とが係合して該ガラス板保持枠５が施錠されるようになっている。なお、ガラス板保持枠５を前面枠体４から取り外すときは滑動子６５をばね６６の付勢に抗して指で後退させながらＵ字形溝６７からヒンジ軸５４を抜き出して外せばよい。
【００１８】
一方、前記前面板７は図１０に示すように金属製板体７ａを有し、その前面に上球受皿６が固着されている。また、金属製板体７ａの前面であって、その軸支側の上端と下端に前記ガラス板保持枠５のヒンジ部材６１と同じ構造のヒンジ部材６１ａ、６１ａが固着されており、さらに、金属製板体７ａの左右側縁には裏面側に突出する不正防止用リブ７１ａ，７１ｂが折曲により一体に形成されている。そして、前面板７を前面枠体４に取り付けるには、上下のヒンジ部材６１ａ、６１ａのＵ字形溝６７をヒンジ金具５６の両支持片５６ａ，５６ｂ間に位置するヒンジ軸杆５８に嵌め込むことにより前面枠体４に開閉自在に装着される。
【００１９】
また、前記前面板７の開放側には、係止金具７２が上下動可能に設けられている。この係止金具７２は、前面枠体４の前面側に設けられた係止部７３と係脱可能な鉤部７４を有し、図１１実線で示すように係止金具７２が上動位置にあるときその鉤部７４が前面枠体４の係止部７３に係止されて前面板７が前面枠体４の前面に閉止され、図１１鎖線のように係止金具７２が下動位置にあるときその鉤部７４と係止部７３との係止が解かれて前面板７を開放することができるようになっている。さらに、前記係止金具７２には、前面板７に開設された球出口７６を開閉する球止め板７７が一体に固着されている。この球止め板７７は、ステンレス等の薄い板状の弾性体により形成されており、係止金具７２が上動されて前面板７が閉止されているときには図１２実線で示すようにその先端球止め部７８が球出口７６の上方に位置して該球出口７６を開放し、係止金具７２が下動されて前面板７が開放されると図１２鎖線のように係止金具７２と一体に下方へ移動して球止め部７８により球出口７６を閉鎖するようになっている。このように、前面板７を係止又は開放する係止金具７２と一体に球止め板７７を設け、係止金具７２を下動して前面板７を開放したとき球止め板７７により上球受皿６の球出口７６を閉鎖する構成とすることにより、前面板７を開放する際に上球受皿６に球が貯留されていても球出口７６から球が零れ落ちるようなことがなくなり、前面板７を開放する度に上球受皿６の球を抜き取るという面倒な手間を省くことができるという利点がある。
【００２０】
前記前面下部板９は図１３ないし図１５に示すように前面板７と同じように金属製板体９ａを有し、その前面に下球受皿８が固着されている。そして、下球受皿８と金属製板体９ａとの間であって、その軸支側の上端と下端に前記ガラス板保持枠５のヒンジ部材６１と同じ構造のヒンジ部材６１ｂ，６１ｂが固着されており、さらに、金属製板体９ａの左右側縁に裏面側に突出する不正防止用リブ７９ａ，７９ｂが折曲により一体に形成されている。そして、前面下部板９を前面枠体４に取り付けるには、前面板７と同じように上下のヒンジ部材６１ｂ，６１ｂのＵ字形溝６７をヒンジ金具５６の下部の支持片５６ｂと水平受止片５６ｃ間に位置するヒンジ軸杆５８に嵌め込むことにより前面枠体４に開閉自在に装着されるようになっている。なお、金属製板体９ａには、ほぼ中央部に上球受皿６の余剰球を下球受皿８に導く下皿口８０と配線通し孔８１が設けられており、さらにスピーカー８２が取り付けられている。
【００２１】
一方、前記前面下部板９の開放側には、図１３及び図１４に示すように係止機構としての下係止金具８３が上下動可能に設けられている。この下係止金具８３は、前面枠体４の前面側に設けられた係止部８４と係脱可能な鉤部８５が設けられており、図１５実線のようにスプリング８６の付勢により下係止金具８３が上動位置にあるときこれの鉤部８５が係止部８４に係止されて前面枠体４に閉止されるようになっている。そして、図１５鎖線で示すように下係止金具８３の上端の押圧部８７に指を掛けて該下係止金具８３を押し下げることによりその鉤部８５と係止部８４との係止が解かれて前面下部板９を開放することができるようになっている。
【００２２】
なお、前記前面枠体４の前面であり、左右の側辺部１４ａ，１４ｂの内側位置にはピアノ線や針金等の異物の侵入を阻止するための内壁部材８８ａ，８８ｂが設けられている。この内壁部材８８ａ，８８ｂは左右の側辺部１４ａ，１４ｂと略等しい長さの薄い金属板により断面略Ｌ字形に屈曲形成されたもので、前面枠体４の開放側側片部１４ａに設けられる内壁部材８８ａは施錠機構２４の外側を略完全に覆うように段部１３にカシメ着され、前面枠体４の軸支側に設けられる内壁部材８８ｂはヒンジ軸５４及びヒンジ軸杆５８を避けるように主枠部１１に当接してそれぞれカシメ着されている。そして、前記ガラス板保持枠５、前面板７及び前面下部板９が閉じられた状態のとき、ガラス板保持枠５の不正防止用リブ６８ａ，６８ｂ、前面板７の不正防止用リブ７１ａ，７１ｂ及び前面下部板９の不正防止用リブ７９ａ，７９ｂのそれぞれ外側に沿うように設けられている。
【００２３】
このため、ガラス板保持枠５を閉じた状態でその開放側側面と前面枠体４の前面との間の隙間からピアノ線や針金等の異物を差し込んでも該異物の先端が内壁部材８８ａとガラス板保持枠５の不正防止用リブ６８ａに突き当たってそれ以上侵入させることができないため、施錠機構２４に異物を引っ掛けてガラス板保持枠５を開放する不正行為を確実に防止することができる。また、同じように前面板７又は前面下部板９の開放側側面と前面枠体４の前面との間の隙間からピアノ線や針金等の異物を侵入させても内壁部材８８ａと前面板７の不正防止用リブ７１ａ及び前面下部板９の不正防止用リブ７９ａに突き当たってそれ以上侵入させることができないため、係止金具７２或いは下係止金具８３に異物を引っ掛けて前面板７又は前面下部板９を開放する不正行為を確実に防止することができる。また、ガラス板保持枠５、前面板７及び前面下部板９の軸支側からピアノ線や針金等の異物を侵入させても該異物の先端が内壁部材８８ｂとガラス板保持枠５の不正防止用リブ６８ｂ、前面板７の不正防止用リブ７１ｂ及び前面下部板９の不正防止用リブ７９ｂに突き当たって遊技盤１５の遊技領域内に侵入させることができなくなる。なお、前記前面板７及び前面下部板９のそれぞれ軸支側の側縁部には不正防止板８９及び９０が取り付けられていて２重の不正防止構造とされている。
【００２４】
しかして、前記前面下部板９の開放側であって、金属製板体９ａの背面下部位置に固定部材９１を設けている。この固定部材９１は図１６に示すように合成樹脂により方形立体形に形成されたもので、筒状凹部９２と取付ボス９３が一体に形成されており、図１５に示すように金属製板体９ａに穿設された貫通孔９４から後方へ突出する下球受皿８と一体の突起９５に筒状凹部９２を嵌合し、さらに固定部材９１に穿設されたねじ挿通孔９６から突起９５のねじ孔９７にねじ９８を嵌めて締着することにより前面下部板９に確固と固定される。なお、前記取付ボス９３は、前面下部板９を閉じた状態でその先端が前面枠体４の前面に当接するようになっており、その中心に取付孔９９が設けられている。また、前面枠体４の主枠部１１には、取付ボス９３の取付孔９９に対応する位置に取付用の小透孔１００が穿設されている。
【００２５】
上記した構成からなる前面下部板９は、図１５に示すように前面下部板９を閉じて下係止金具８３を前面枠体４の係止部８４に係止した後、前面枠体４の小透孔１００から固定部材９１の取付孔９９にねじ１０１を嵌めて締着する。これによって、前面下部板９が前面枠体４に強固に固着されることになって前面下部板９の強度低下が抑えられることになり、下球受皿８に上球受皿６からの余剰球が多量に貯留されて前面下部板９にかなりの荷重が掛けられても該前面下部板９の軸支部分が撓んだり歪んだりするようなことがなくなる。このため、長期間にわたって使用されても前面下部板９の開閉動作をスムーズに行うことができると共に、前面枠体４と前面下部板９との間に隙間が生じるようなこともなくなり不正が行われ易いという問題点を解消することができる。そして、前面枠体４の前面下部に取り付けられる打球発射機構１９や通路部材２０或いは前面下部板９の裏面に設けられるスピーカー８２等の修理や交換のため前面下部板９を開放する必要が生じたときには固定部材９１と前面枠体４とのねじ止めを外した後、下係止金具８３の鉤部８５と係止部８４との係止を解除することによって容易に開放することができる。
【００２６】
【発明の効果】
以上説明したところから明らかなように、請求項１記載の発明によれば、前面枠体の前面にガラス板保持枠と上球受皿を有する前面板及び下球受皿を有する前面下部板を備えてなるパチンコ遊技機において、前記前面下部板を前面枠体に開閉自在に取り付けると共に、前面下部板の開放側に係止機構と固定部材を設け、前記係止機構を前面枠体の係止部に係脱自在に係止すると共に、前面枠体と固定部材とをねじ止めするようにしたものであるから、前面下部板が前面枠体に強固に固着されることになって前面下部板の強度低下を抑えることができると共に、固定部材と前面枠体とのねじ止めを外した後、係止機構と係止部との係止を外すことによって前面下部板を容易に開放することができるため、遊技盤の前面下方部に設けられる打球発射機構や通路部材の組付け或いは前面下部板の裏面に設けられるスピーカー等の修理や交換が容易にできる。
【図面の簡単な説明】
【図１】パチンコ遊技機の正面図である。
【図２】パチンコ遊技機の裏面図である。
【図３】ガラス板保持枠と前面板及び前面下部板を開いた状態の斜視図である。
【図４】前面枠体の分解斜視図である。
【図５】外枠と前面枠体の上部ヒンジ機構部分の分解斜視図である。
【図６】外枠と前面枠体の下部ヒンジ機構部分の分解斜視図である。
【図７】外枠と前面枠体の上部ヒンジ機構部分の作用を説明する側面断面図である。
【図８】ヒンジ部材の斜視図である。
【図９】ガラス板保持枠とヒンジ部材との軸支状態を示す平面断面図である。
【図１０】前面板の裏面からの斜視図である。
【図１１】前面板の係止金具の作用を説明する側面図である。
【図１２】前面板の係止金具と球止め板との作用を説明する正面図である。
【図１３】下部前面板の裏面からの斜視図である。
【図１４】下部前面板の裏面図である。
【図１５】前面枠体と前面下部板の固定状態を示す要部側面断面図である。
【図１６】固定部材の斜視図である。
【符号の説明】
１            パチンコ遊技機
２            外枠
４            前面枠体
５            ガラス板保持枠
６            上球受皿
７            前面板
８            下球受皿
９            前面下部板
８３          下係止金具（係止機構）
８４          係止部
９１          固定部材
【図１】
0004038327.tif 000002
【図２】
0004038327.tif 000003
【図３】
0004038327.tif 000004
【図４】
0004038327.tif 000005
【図５】
0004038327.tif 000006
【図６】
0004038327.tif 000007
【図７】
0004038327.tif 000008
【図８】
0004038327.tif 000009
【図９】
0004038327.tif 000010
【図１０】
0004038327.tif 000011
【図１１】
0004038327.tif 000012
【図１２】
0004038327.tif 000013
【図１３】
0004038327.tif 000014
【図１４】
0004038327.tif 000015
【図１５】
0004038327.tif 000016
【図１６】
0004038327.tif 000017